(57)【要約】【課題】有限距離における変倍比低下の抑制と、高性能化を両立したズームレンズ及びそれを有する撮像装置を提供することである。【解決手段】物体側から順に、変倍中固定で正の屈折力の第１レンズ群、変倍に際し可動で負の屈折力の第２レンズ群、変倍に際し可動又は固定で負の屈折力の第３レンズ群、変倍に際し可動で正の屈折力の第４レンズ群、変倍中固定で正の屈折力の第５レンズ群から構成されるズームレンズにおいて、無限端から至近端に向けてフォーカシングを行う際、第２レンズ群、第３レンズ群、第４レンズ群が像側に移動する。【選択図】図３
2016024341.tif 000002
【特許請求の範囲】
【請求項１】
物体側から順に、変倍中固定で正の屈折力の第１レンズ群、変倍に際し可動で負の屈折力の第２レンズ群、変倍に際し可動又は固定で負の屈折力の第３レンズ群、変倍に際し可動で正の屈折力の第４レンズ群、変倍中固定で正の屈折力の第５レンズ群から構成されるズームレンズにおいて、
無限端から至近端に向けてフォーカシングを行う際、前記第２レンズ群、前記第３レンズ群、前記第４レンズ群が像側に移動し、前記第２レンズ群及び前記第３レンズ群の物体距離無限遠から至近距離にかけての繰り出し量をそれぞれｄｘ２、ｄｘ３とし、前記第２レンズ群の焦点距離をｆ２とするとき、
０．２０＜｜ｄｘ２／ｆ２｜＜０．７０
０．１５＜ｄｘ３／ｄｘ２＜２．００
であることを特徴とするズームレンズ。
【請求項２】
前記第１レンズ群の焦点距離をｆ１、前記第２レンズ群の焦点距離をｆ２、前記第３レンズ群の焦点距離をｆ３、前記第４レンズ群の焦点距離をｆ４としたとき、
４．０＜|ｆ１／ｆ２|＜８．０  
０．８＜|ｆ１／ｆ３|＜３．０  
０．８＜|ｆ１／ｆ４|＜４．５  
であることを特徴とする請求項１に記載のズームレンズ。
【請求項３】
請求項１又は２に記載のズームレンズと、該ズームレンズによって形成した像を受光する固体撮像素子と、を有することを特徴とする撮像装置。
【発明の詳細な説明】
【技術分野】
【０００１】
本発明は、ズームレンズ及びそれを有する撮像装置に関する。特に、ズームレンズとしては、テレビカメラやビデオカメラ及び写真用カメラ、デジタルカメラに好適なズームレンズに関し、広角、高倍率且つ小型軽量なズームレンズに関するものである。
【背景技術】
【０００２】
近年、テレビカメラ、銀塩フィルム用カメラ、デジタルカメラ、ビデオカメラ等の撮像装置には、広画角、高ズーム比でしかも高い光学性能を有したズームレンズが要望されている。広画角、高ズーム比のズームレンズとして、最も物体側に正の屈折力のレンズ群を配置した５つのレンズ群より成るポジティブリード型の５群ズームレンズが知られている。このポジティブリード型のズームレンズで更なる小型化を目的として、変倍機能を有する可動レンズ群がフォーカシング機能も併せ持った、特にテレビカメラに好適な５群ズームレンズが知られている（特許文献１、２）。
【０００３】
特許文献１では、正の屈折力の第１レンズ群、変倍およびフォーカシング用の負の屈折力の第２レンズ群、負の屈折力の第３レンズ群、像面補正およびフォーカシング用の正の屈折力の第４レンズ群、結像用の正の屈折力の第５レンズ群から構成されたズームレンズが提案されている。
【０００４】
また特許文献２では、正の屈折力の第１レンズ群、変倍用の負の屈折力の第２レンズ群、変倍用の負の屈折力の第３レンズ群、像面補正およびフォーカシング用の正の屈折力の第４レンズ群、結像用の正の屈折力の第５レンズ群から構成されたズームレンズが提案されている。
【先行技術文献】
【特許文献】
【０００５】
【特許文献１】特開平０９−１５４９５号公報
【特許文献２】特開２０１１−１０７６９３号公報
【発明の概要】
【発明が解決しようとする課題】
【０００６】
従来、放送用ズームレンズの更なる小型軽量化を達成するために、リアフォーカス式が提案されている。しかしながら、放送用ズームレンズでは一般的に結像用の最終レンズ群の内部に焦点距離変換光学系が装脱可能な状態で配置されるため、焦点距離変換光学系装着時の望遠、物体距離至近側における繰り出し量が増大してしまう問題点があった。
【０００７】
特許文献１において、変倍用の第２レンズ群と像面補正用の第４レンズ群とでフォーカシングすることで焦点距離変換光学系装着時の望遠、物体距離至近側における繰り出し量の増大の抑制と、至近距離における変倍比の低下を抑制しているが、物体距離の変化による収差変動を十分に抑制できないという課題があった。
【０００８】
また特許文献２において、像面補正用の第４レンズ群でフォーカシングを行い、焦点距離変換光学系装着時の望遠、物体距離至近側における繰り出し量の増大の抑制と高性能化は達成しているが、至近距離における変倍比が大きく低下するという課題があった。
【０００９】
本発明の目的は、第２レンズ群、第３レンズ群、第４レンズ群をフォーカシングに伴って移動させる構成とすることで、至近距離における変倍比低下の抑制と、高性能化を両立したズームレンズ及びそれを有する撮像装置を提供することである。
【課題を解決するための手段】
【００１０】
上記目的を達成するために、本発明に係るズームレンズ及びそれを有する撮像装置は、物体側から順に、変倍中固定で正の屈折力の第１レンズ群、変倍に際し可動で負の屈折力の第２レンズ群、変倍に際し可動又は固定で負の屈折力の第３レンズ群、変倍に際し可動で正の屈折力の第４レンズ群、変倍中固定で正の屈折力の第５レンズ群から構成されるズームレンズにおいて、無限端から至近端に向けてフォーカシングを行う際、前記第２レンズ群、前記第３レンズ群、前記第４レンズ群が像側に移動し、前記第２レンズ群及び前記第３レンズ群の物体距離無限遠から至近距離にかけての繰り出し量をそれぞれｄｘ２、ｄｘ３とし、前記第２レンズ群の焦点距離をｆ２とするとき、
０．２０＜｜ｄｘ２／ｆ２｜＜０．７０
０．１５＜ｄｘ３／ｄｘ２＜２．００
を満足することを特徴とする。
【発明の効果】
【００１１】
本発明によれば、無限端から至近端に向けてフォーカシングを行う際、第２レンズ群、第３レンズ群、第４レンズ群が像側に繰り出す構成とすることで、至近距離における変倍比低下の抑制と、高性能化を両立したズームレンズ及びそれを有する撮像装置を提供することができる。
【図面の簡単な説明】
【００１２】
【図１】本発明のズームレンズの概略構成と移動軌跡
【図２】本発明の撮像装置
【図３】実施例１の広角端、物体距離無限遠におけるレンズ断面図
【図４】（Ａ）実施例１の広角端、物体距離３．５ｍにおける縦収差図、（Ｂ）実施例１の望遠端、物体距離３．５ｍにおける縦収差図
【図５】（Ａ）実施例１の望遠端、物体距離無限遠における縦収差図、（Ｂ）実施例１の望遠端、物体距離至近端（０．８２ｍ）における縦収差図
【図６】実施例２の広角端、物体距離無限遠におけるレンズ断面図
【図７】（Ａ）実施例２の広角端、物体距離２．５ｍにおける縦収差図、（Ｂ）実施例２の望遠端、物体距離２．５ｍにおける縦収差図
【図８】（Ａ）実施例２の望遠端、物体距離無限遠における縦収差図、（Ｂ）実施例２の望遠端、物体距離至近端（０．８２ｍ）における縦収差図
【図９】実施例３の広角端、物体距離無限遠におけるレンズ断面図
【図１０】（Ａ）実施例３の広角端、物体距離６．０ｍにおける縦収差図、（Ｂ）実施例３の望遠端、物体距離６．０ｍにおける縦収差図
【図１１】（Ａ）実施例３の望遠端、物体距離無限遠における縦収差図、（Ｂ）実施例３の望遠端、物体距離至近端（２．８ｍ）における縦収差図
【発明を実施するための形態】
【００１３】
以下に、本発明の実施の形態を添付の図面に基づいて詳細に説明する。図１は本発明のズームレンズの構成と、ズーミング及びフォーカシングに伴う各レンズ群の移動軌跡についての概念図である。
【００１４】
物体側から像側へ順に、変倍中に固定の正の屈折力の第１レンズ群Ｇ１、変倍に際し可動で負の屈折力の第２レンズ群Ｇ２、変倍に際し可動又は固定で負の屈折力の第３レンズ群Ｇ３、変倍に際し可動で正の屈折力の第４レンズ群Ｇ４、変倍中に固定の正の屈折力の第５レンズ群Ｇ５から構成されている。尚、ＩＭＧは撮像面を表している。
【００１５】
本発明における広角端から望遠端にかけての第２レンズ群Ｇ２、第３レンズ群Ｇ３、第４レンズ群Ｇ４の物体距離無限遠における移動軌跡を実線で、物体距離至近における移動軌跡を破線で示している。
【００１６】
広角端（短焦点距離端）から望遠端（長焦点距離端）へのズーミングに際して第２レンズ群Ｇ２は像側に移動する。第３レンズ群Ｇ３はズーミングに際し不動であってもよいが、可動の場合には物体側に凸状の軌跡を描くように移動する。
【００１７】
フォーカシングに際しては、広角端から望遠端にかけて第２レンズ群Ｇ２、第３レンズ群Ｇ３及び第４レンズ群Ｇ４がそれぞれ物体側から像側に繰り出す。
【００１８】
また、本発明のズームレンズにおいては、変倍群の第２レンズ群Ｇ２、第３レンズ群Ｇ３、変倍群の第４レンズ群Ｇ４がフォーカシングを行うことを規定しており、これらのレンズ群は焦点距離変換光学系よりも物体側に配置されるため、焦点距離変換光学系の挿脱によりフォーカシング時の繰り出し量が変わることはない。
【００１９】
次に、上述した各ズームレンズを撮像光学系として用いた撮像装置について説明する。図２は各実施例のズームレンズを撮影光学系として用いた撮像装置（テレビカメラシステム）の要部概略図である。図２において１０１は実施例１〜３のいずれか１つのズームレンズである。
【００２０】
１２４はカメラである。ズームレンズ１０１はカメラ１２４に対して着脱可能になっている。１２５はカメラ１２４にズームレンズ１０１を装着することにより構成される撮像装置である。ズームレンズ１０１は第１レンズ群１１４、変倍及びフォーカシング時に光軸上を移動する第２、第３、第４レンズ群を含む変倍部（兼フォーカス部）１１５、結像用の第５レンズ群１１６を有している。ＳＰは開口絞りである。変倍並びにフォーカシング中に固定の第５レンズ群１１６は、光路中より挿抜可能な変倍光学系ＩＥを有している。
【００２１】
変倍部１１５には、光軸方向に駆動される為の駆動機構が備わっている。１１７、１１８は変倍部１１５及び開口絞りＳＰを電動駆動するモータ等の駆動手段である。１１９、１２０は、変倍部１１５中の各レンズ群の光軸上の位置と、開口絞りＳＰの絞り径を検出する為のエンコーダやポテンショメータ、あるいはフォトセンサ等の検出器である。尚、変倍部１１５中の各レンズ群の駆動軌跡は、ヘリコイドやカムなどの機械的軌跡や、超音波モータなどによる電気的軌跡のどちらであっても構わない。
【００２２】
カメラ１２４において、１０９はカメラ１２４内の光学フィルタや色分解プリズムに相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ本体１０１の各種の駆動を制御するＣＰＵである。このように本発明のズームレンズをテレビカメラに適用することにより、高い光学性能を有する撮像装置を実現している。
【００２３】
（実施例１）
以下、本発明の実施例１（数値実施例１）について詳細に説明する。図３は、実施例１の広角端、物体距離無限遠におけるレンズ断面図である。物体側から順に、変倍中固定の正の屈折力の第１レンズ群Ｇ１、変倍に際し可動で負の屈折力の第２レンズ群Ｇ２、変倍に際し可動又は固定の負の屈折力の第３レンズ群Ｇ３、変倍に際し可動で正の屈折力の第４レンズ群Ｇ４、変倍中固定で正の屈折力の第５レンズ群Ｇ５から構成されている。ＳＰは開口絞り、Ｐは色分解光学プリズム、ＩＭＧは結像面である。
【００２４】
また、第２レンズ群、第３レンズ群、第４レンズ群が物体距離無限遠から至近にかけて物体側から像側に繰り出すようにフォーカシングを行い、第２レンズ群の物体距離無限遠から至近距離にかけての繰り出し量をそれぞれｄｘ２とし、第２レンズ群の焦点距離をｆ２とするとき、条件式（１）を満足する。
０．２０＜｜ｄｘ２／ｆ２｜＜０．７０      ・・・（１）
条件式（１）は、第２レンズ群の至近端における繰り出し量ｄｘ２の範囲を規定するものである。第２レンズ群の繰り出し量を大きく取ると増倍効果が得られ、至近距離における変倍比低下を抑制する事ができる。条件式（１）の上限を上回ると、物体距離無限遠時に対する至近端での変倍比が大きくなり過ぎ、至近端での収差補正が困難となる。条件式（１）の下限を下回ると、至近距離における変倍比の低下が顕著になり許容できない。
【００２５】
尚、条件式（１）は、
０．３５＜｜ｄｘ２／ｆ２｜＜０．５５      ・・・（１ａ）
を満足すると更に好ましい。
【００２６】
本発明のズームレンズは、第３レンズ群の物体距離無限遠から至近距離にかけての繰り出し量をｄｘ３としたとき、条件式（２）を満足する。
０．１５＜ｄｘ３／ｄｘ２＜２．００        ・・・（２）
条件式（２）は、第２レンズ群の至近端における繰り出し量ｄｘ２に対する第３レンズ群の至近端における繰り出し量ｄｘ３の範囲を規定するものである。特許文献１及び２の５群ズームレンズにおいては、特に望遠端の物体距離無限端から至近端にかけて、球面収差、像面湾曲及び非点収差の距離による変動が大きい。本発明のズームレンズにおいては、第２レンズ群が繰り出すことにより物体距離至近側での変倍比低下を抑制しているが、変倍比が大きくなるに従い、つまり繰り出し量が大きくなるに従い収差変動も増大する。
【００２７】
これに対し、フォーカシングに際して第３レンズ群が像側に繰り出すことで、各レンズ群で発生する収差が打ち消し合い、無限端から至近端への諸収差の変動を抑制する事ができる。
【００２８】
条件式（２）の上限を上回ると、第３レンズ群の移動量が大きくなり過ぎ、小型軽量化並びに高性能化が困難となる。条件式（２）の下限を下回ると、物体距離変化による収差変動補正に十分な効果を得ることが困難となる。
【００２９】
尚、条件式（２）は、
０．４５＜ｄｘ３／ｄｘ２＜１．４０        ・・・（２ａ）
を満足すると更に好ましい。
【００３０】
本発明のズームレンズにおいて、第１レンズ群の焦点距離をｆ１、第２レンズ群の焦点距離をｆ２、第３レンズ群の焦点距離をｆ３、第４レンズ群の焦点距離をｆ４としたとき、条件式（３）〜（５）を満足する。
４．０＜|ｆ１／ｆ２|＜８．０    ・・・（３）
０．８＜|ｆ１／ｆ３|＜３．０    ・・・（４）
０．８＜|ｆ１／ｆ４|＜４．５    ・・・（５）
各レンズ群の屈折力は各レンズ群の焦点距離の逆数で定義される。
【００３１】
条件式（３）の上限を上回ると、第２レンズ群の屈折力が第１レンズ群の屈折力に対して相対的に強くなり過ぎ、諸収差の変動が増大し、補正が困難となる。条件式（３）の下限を下回ると、第２レンズ群の屈折力が第１レンズ群の屈折力に対して相対的に弱くなり過ぎ、高倍率化を達成することが困難となる。
【００３２】
条件式（４）の上限を上回ると、第３レンズ群の屈折力が第１レンズ群の屈折力に対して相対的に強くなり過ぎ、球面収差、コマ収差の変動が増大し、補正が困難となる。条件式（４）の下限を下回ると、第３レンズ群の屈折力が第１レンズ群の屈折力に対して相対的に弱くなり過ぎ、距離変化による収差変動の補正が困難となる。
【００３３】
条件式（５）の上限を上回ると、第４レンズ群の屈折力が第１レンズ群の屈折力に対して相対的に強くなり過ぎ、球面収差、コマ収差の変動が増大し、補正が困難となる。条件式（５）の下限を下回ると、第４レンズ群の屈折力が第１レンズ群の屈折力に対して相対的に弱くなり過ぎ、像点補正のための移動量が増大し、小型軽量化を達成することが困難となる。
【００３４】
尚、条件式（３）、（４）、（５）は、
４．５＜|ｆ１／ｆ２|＜７．５    ・・・（３ａ）
１．０＜|ｆ１／ｆ３|＜２．５    ・・・（４ａ）
１．０＜|ｆ１／ｆ４|＜４．２    ・・・（５ａ）
を満足すると更に好ましい。
【００３５】
本発明のズームレンズは物体距離無限遠時の変倍比をＺｉｎｆ、至近距離時の変倍比をＺｍｏｄとするとき、
０．６＜Ｚｍｏｄ／Ｚｉｎｆ≦１．０        ・・・（６）
を満たしていることが好ましい。
【００３６】
尚、下記数値実施例におけるｒは曲率半径、ｄはレンズ厚またはレンズ間隔、ｎｄは波長５４６nmにおける屈折率、νdはアッベ数、*は非球面を示す。非球面は次式で定義される。
【００３７】
【数１】
2016024341.tif 000003
【００３８】
但し、ｃは曲率(1/ｒ)、ｙは光軸からの高さ、Ｋは円錐係数、Ａ３、Ａ４、Ａ５、Ａ６・・・は各次数の非球面係数である。
【００３９】
図４（Ａ）は実施例１の広角端で物体距離３．５ｍにおける縦収差図、図４（Ｂ）は望遠端で物体距離３．５ｍにおける縦収差図である。図５（Ａ）は実施例１の望遠端で無限遠物体に合焦しているときの縦収差図、図５（Ｂ）は望遠端で至近物体に合焦しているときの縦収差図である。
【００４０】
収差図中にて、軸上色収差図及び倍率色収差図中のｅ線、ｇ線はそれぞれの波長５４６ｎｍ、４３６ｎｍに対する収差である。ΔＳはサジタル、ΔＭはメリディオナルである。図中のＦｎｏはＦナンバー、ωは半画角（°）を示す。
【００４１】
本実施例の各条件式対応値を表１に示す。本数値実施例はいずれの条件式も満足しており、物体距離至近側における変倍比低下を抑制しながら、良好な光学性能を達成している。
【００４２】
（数値実施例１）
単位 mm
面データ
面番号       r        d      nd         vd       有効径
1      -1000.706    2.54   2.00330    28.3       73.37
2        136.817    5.17                         70.68
3        153.237    9.49   1.43387    95.1       71.07
4       -184.588    3.34                         71.18
5        157.146    7.00   1.43387    95.1       70.31
6       -381.936    0.14                         70.18
7        107.146    6.72   1.59240    68.3       68.61
8       1975.028    0.23                         68.09
9         67.740    5.58   1.75500    52.3       63.39
10        145.021  (可変)                         62.50
11*       102.700    0.95   1.88300    40.8       28.24
12         14.743    6.46                         22.16
13        -60.723    6.64   1.80809    22.8       21.91
14        -14.024    0.71   1.88300    40.8       21.62
15         91.601    0.17                         21.53
16         30.024    2.72   1.66680    33.0       21.83
17        103.058  (可変)                         21.58
18        -32.202    0.71   1.75700    47.8       18.87
19         45.128    2.69   1.84649    23.9       20.13
20       3357.035  (可変)                         20.67
21       -128.067    3.31   1.64000    60.1       25.54
22        -40.704    0.14                         26.38
23        110.555    3.30   1.51633    64.1       27.47
24       -102.470  (可変)                         27.68
25(絞り)    ∞       1.90                         28.37
26         48.140    5.56   1.51742    52.4       28.64
27        -44.468    0.95   1.83400    37.2       28.47
28       4118.574   36.00                         28.40
29        269.243    3.15   1.53172    48.8       27.35
30        -54.524    0.10                         27.29
31        159.370    0.76   1.83400    37.2       26.40
32         24.493    4.47   1.50127    56.5       25.50
33        459.692    0.10                         25.59
34         39.223    6.04   1.49700    81.5       25.92
35        -31.231    0.81   1.88300    40.8       25.78
36        252.063    0.10                         26.11
37         53.343    4.39   1.56732    42.8       26.48
38        -53.156    4.28                         26.45
39          ∞      33.00   1.60859    46.4       40.00
40          ∞      13.20   1.51633    64.1       40.00
41          ∞                                    40.00
像面        ∞   
非球面データ
第11面
K =-2.39810e+002  A 4= 3.08801e-005  A 6=-2.32121e-007  A 8=-5.87930e-010  A10=-4.94138e-012  A12= 1.62325e-014  
A 3=-1.67594e-006  A 5=-3.66312e-007  A 7= 1.17893e-008  A 9= 1.25562e-010  A11=-3.11522e-013  
各種データ
ズーム比     21.20 
広角     中間     望遠
焦点距離       7.90    33.12   167.52  
Fナンバー      1.86     1.86     2.70  
画角          34.84     9.43     1.88  
像高           5.50     5.50     5.50  
レンズ全長   268.54   268.54   268.54  
BF             9.33     9.33     9.33  
d10            0.69    37.33    54.57  
d17           58.17     9.71     7.79  
d20            8.02    14.93     2.10  
d24            9.52    14.43    11.94  
入射瞳位置    45.08   187.48   832.48  
射出瞳位置  -1565.60  -1565.60  -1565.60  
前側主点位置  52.94   219.91   982.18  
後側主点位置   1.43   -23.79  -158.18  
ズームレンズ群データ
群  始面    焦点距離  レンズ構成長  前側主点位置  後側主点位置
1    1      72.97        40.20        25.75         -0.23
2   11     -14.77        17.65         1.76        -10.59
3   18     -45.90         3.40        -0.02         -1.87
4   21      48.58         6.75         3.08         -1.24
5   25      52.14       114.80        50.41        -49.80
（実施例２）
図６は、実施例２の広角端、物体距離無限遠におけるレンズ断面図である。物体側から順に、変倍中固定の正の屈折力の第１レンズ群Ｇ１、変倍に際し可動で負の屈折力の第２レンズ群Ｇ２、変倍に際し可動又は固定の負の屈折力の第３レンズ群Ｇ３、変倍に際し可動で正の屈折力の第４レンズ群Ｇ４、変倍中固定で正の屈折力の第５レンズ群Ｇ５から構成されている。ＳＰは開口絞り、Ｐは色分解光学プリズム、ＩＭＧは結像面である。
【００４３】
図７（Ａ）は実施例２の広角端で物体距離２．５ｍにおける縦収差図、図７（Ｂ）は望遠端で物体距離２．５ｍにおける縦収差図である。図８（Ａ）は実施例２の望遠端で無限遠物体に合焦しているときの縦収差図、図８（Ｂ）は望遠端で至近物体に合焦しているときの縦収差図である。
【００４４】
本実施例の各条件式対応値を表１に示す。本数値実施例はいずれの条件式も満足しており、物体距離至近側における変倍比低下を抑制しながら、良好な光学性能を達成している。
【００４５】
（数値実施例２）
単位 mm
面データ
面番号       r        d      nd         vd       有効径
1       -150.466    2.30   1.75520    27.5      104.19
2        266.335    6.88                         99.67
3        412.335   16.19   1.43875    94.9       98.71
4       -119.298    0.40                         98.77
5        170.435   12.97   1.43387    95.1       93.97
6       -235.096    8.01                         93.67
7        105.563    9.91   1.59240    68.3       84.49
8       1375.859    0.15                         83.48
9         55.108    7.23   1.75500    52.3       72.53
10         86.856  (可変)                         71.10
11         61.914    1.00   1.88300    40.8       31.92
12         15.037    8.14                         24.30
13        -70.751    8.52   1.80809    22.8       23.58
14        -13.955    0.75   1.88300    40.8       22.77
15         49.984    0.18                         22.05
16         27.024    2.89   1.66680    33.0       22.37
17         60.582  (可変)                         22.04
18        -40.866    0.75   1.74320    49.3       20.97
19         55.892    2.50   1.84649    23.9       22.12
20        428.122  (可変)                         22.60
21        156.571    4.56   1.77250    49.6       28.81
22        -53.135  (可変)                         29.29
23(絞り)    ∞       1.50                         29.65
24         78.366    3.87   1.53172    48.8       29.73
25       -202.387    0.40                         29.51
26        128.885    6.39   1.48749    70.2       29.05
27        -33.944    1.00   1.88300    40.8       28.45
28       -312.517   36.00                         28.47
29       -206.709    3.45   1.48749    70.2       26.02
30        -39.032    6.14                         26.02
31       -159.177    1.00   1.83489    42.6       23.07
32         19.735    7.13   1.48749    70.2       22.99
33        -63.933    0.15                         23.86
34         42.702    6.89   1.49700    81.5       25.03
35        -27.679    1.00   1.88300    40.8       25.10
36        298.737    0.30                         26.10
37         50.338    6.25   1.57501    41.5       27.10
38        -32.698    4.50                         27.25
39          ∞      33.00   1.60859    46.4       40.00
40          ∞      13.20   1.51633    64.1       40.00
41          ∞                                    40.00
像面        ∞   
各種データ
ズーム比     15.02 
広角     中間     望遠
焦点距離       8.00    38.99   120.17  
Fナンバー      1.90     1.90     1.93  
画角          34.51     8.03     2.62  
像高           5.50     5.50     5.50  
レンズ全長   319.12   319.12   319.12  
BF             6.99     6.99     6.99  
d10            0.98    37.39    47.15  
d17           66.44    24.29    20.23  
d20            9.00    14.56     8.31  
d22           10.19    10.37    10.92  
入射瞳位置    63.01   279.97   774.78  
射出瞳位置   187.26   187.26   187.26  
前側主点位置  71.37   327.40   975.06  
後側主点位置  -1.01   -32.00  -113.17  
ズームレンズ群データ
群  始面    焦点距離  レンズ構成長  前側主点位置  後側主点位置
1    1      69.50        64.05        37.72         -2.23
2   11     -13.20        21.48         3.75        -10.23
3   18     -54.40         3.25         0.15         -1.62
4   21      51.60         4.56         1.94         -0.66
5   23      57.99       132.16        76.04        -57.10
（実施例３）
図９は、実施例３の広角端、物体距離無限遠におけるレンズ断面図である。物体側から順に、変倍中固定の正の屈折力の第１レンズ群Ｇ１、変倍に際し可動で負の屈折力の第２レンズ群Ｇ２、変倍に際し可動又は固定の負の屈折力の第３レンズ群Ｇ３、変倍に際し可動で正の屈折力の第４レンズ群Ｇ４、変倍中固定で正の屈折力の第５レンズ群Ｇ５から構成されている。ＳＰは開口絞り、Ｐは色分解光学プリズム、ＩＭＧは結像面である。
【００４６】
図１０（Ａ）は実施例３の広角端で物体距離６．０ｍにおける縦収差図、図１０（Ｂ）は望遠端で物体距離６．０ｍにおける縦収差図である。図１１（Ａ）は実施例３の望遠端で無限遠物体に合焦しているときの縦収差図、図１１（Ｂ）は望遠端で至近物体に合焦しているときの縦収差図である。
【００４７】
本実施例の各条件式対応値を表１に示す。本数値実施例はいずれの条件式も満足しており、物体距離至近側における変倍比低下を抑制しながら、良好な光学性能を達成している。
【００４８】
（数値実施例３）
単位 mm
面データ
面番号       r        d      nd         vd       有効径
1       3414.004    3.00   1.80610    40.9      112.56
2        198.618    1.01                        112.24
3        194.852   16.03   1.43387    95.1      112.81
4       -283.430    0.58                        113.03
5        181.381   12.40   1.43387    95.1      112.81
6      -1113.827    0.20                        112.40
7        136.980    9.84   1.43387    95.1      108.03
8        451.022    0.20                        107.08
9        100.582    5.64   1.43387    95.1      100.66
10        127.805  (可変)                         99.03
11        222.102    1.00   1.88300    40.8       34.48
12         20.975    8.97                         29.21
13        -42.217    0.90   1.81600    46.6       29.20
14       -275.680    0.70                         30.16
15         42.781    5.45   1.80809    22.8       32.21
16       -126.877    0.16                         32.06
17       1208.240    1.10   1.81600    46.6       31.50
18         67.155  (可変)                         30.80
19        -52.813    1.30   1.71700    47.9       28.55
20         59.709    2.92   1.84649    23.9       30.37
21        400.114  (可変)                         30.72
22       -476.592    4.72   1.60738    56.8       38.88
23        -54.642    0.15                         39.47
24         51.675    8.59   1.51823    58.9       41.11
25        -85.617    0.35                         40.81
26         38.995    9.65   1.48749    70.2       36.81
27        -57.561    1.50   1.83400    37.2       35.21
28         53.943  (可変)                         32.46
29(絞り)    ∞       1.00                         25.92
30       2760.925    3.24   1.48749    70.2       25.69
31        -49.081    1.50   1.88300    40.8       25.45
32        219.902   40.35                         25.43
33        519.462    5.00   1.51742    52.4       29.25
34        -41.231    0.15                         29.58
35        537.796    1.20   1.77250    49.6       29.10
36        129.740    3.99   1.51742    52.4       28.89
37       -243.972    0.40                         28.64
38         48.427    7.59   1.51742    52.4       28.05
39        -40.471    1.20   1.88300    40.8       26.97
40         89.350    0.15                         26.42
41         37.095    5.48   1.48749    70.2       26.47
42      -2261.197    3.80                         25.79
43          ∞      33.00   1.60859    46.4       40.00
44          ∞      13.20   1.51680    64.2       40.00
45          ∞                                    40.00
像面        ∞   
各種データ
ズーム比     37.84 
広角     中間     望遠
焦点距離      10.50    46.55   397.29  
Fナンバー      1.99     2.00     3.58  
画角          27.65     6.74     0.79  
像高           5.50     5.50     5.50  
レンズ全長   390.80   390.80   390.80  
BF            10.00    10.00    10.00  
d10            1.26    77.88   124.41  
d18          130.82    32.96    10.44  
d21           11.05    22.32     2.22  
d28           20.09    30.05    26.14  
入射瞳位置    68.26   373.08   3643.00  
射出瞳位置  -1962.61  -1962.61  -1962.61  
前側主点位置  78.71   418.53   3960.28  
後側主点位置  -0.50   -36.55  -387.29  
ズームレンズ群データ
群  始面    焦点距離  レンズ構成長  前側主点位置  後側主点位置
1    1     165.00        48.89        20.60        -12.89
2   11     -24.30        18.28         1.15        -12.93
3   19     -73.70         4.22         0.24         -2.08
4   22      43.60        24.96        -3.67        -16.67
5   29      51.54       121.25        50.21        -18.74
以上、本発明の好ましい実施例について説明したが、本発明はこれらの実施例に限定されないことは云うまでもなく、その要旨の範囲内で種々の変形及び変更が可能である。
【００４９】
【表１】
2016024341.tif 000004
【符号の説明】
【００５０】
Ｇ１  第１レンズ群、Ｇ２  第２レンズ群、Ｇ３  第３レンズ群、Ｇ４  第４レンズ群、
ＳＰ  絞り、Ｇ５  第５レンズ群、Ｐ  ガラスブロック、ＩＭＧ  撮像面
【図１】
2016024341.tif 000005
【図２】
2016024341.tif 000006
【図３】
2016024341.tif 000007
【図４】
2016024341.tif 000008
【図５】
2016024341.tif 000009
【図６】
2016024341.tif 000010
【図７】
2016024341.tif 000011
【図８】
2016024341.tif 000012
【図９】
2016024341.tif 000013
【図１０】
2016024341.tif 000014
【図１１】
2016024341.tif 000015